(57)【特許請求の範囲】
【請求項１】
複数の第１端末から、広告コンテンツと、前記広告コンテンツに関連するクーポンを示すクーポン情報とを受信する広告情報受信部と、
移動体の路線を特定する情報又は移動体の乗車率のいずれか一方を少なくとも含む前記移動体の属性を示す情報と、前記移動体の利用者の属性を示す情報とを属性情報としてそれぞれ受信する属性情報受信部と、
前記属性情報受信部が受信する前記属性情報に基づいて、前記広告情報受信部が受信する前記広告コンテンツの中から、前記属性情報に応じた前記広告コンテンツを選択する選択部と、
前記選択部が選択した前記広告コンテンツを示す表示情報を生成する生成部と、
前記生成部が生成した前記表示情報を、前記移動体の内部に備えられる表示装置に配信する表示情報配信部と、
前記表示情報配信部が配信した前記表示情報が示す前記広告コンテンツに関連する前記クーポン情報を、第２端末からの指示に基づいて前記第２端末に配信するクーポン情報配信部と
を備えることを特徴とするサーバ装置。
【請求項２】
複数の第１端末から、前記表示情報の配信の時期を示す配信時期情報を受信する配信時期情報受信部
を備え、
前記表示情報配信部は、
前記表示情報を、当該表示情報の前記配信時期情報が示す時期に配信する
ことを特徴とする請求項１に記載のサーバ装置。
【請求項３】
前記属性情報受信部は、
前記第２端末のユーザの属性を示す情報を前記属性情報としてさらに受信する
ことを特徴とする請求項１または請求項２に記載のサーバ装置。
【請求項４】
前記第２端末から前記クーポン情報が示す前記クーポンの利用状況を示す情報を受信する利用状況受信部と、
前記利用状況受信部が受信した前記クーポンの利用状況を示す情報に基づいて、複数の前記第２端末による前記クーポンの利用状況を示す統計情報を生成する統計情報生成部と、
前記統計情報生成部が生成した前記統計情報を、前記第１端末に送信する送信部と、
をさらに備えることを特徴とする請求項１から請求項３のいずれか一項に記載のサーバ装置。
【請求項５】
サーバ装置が備えるコンピュータが、複数の第１端末から、広告コンテンツと、前記広告コンテンツに関連するクーポンを示すクーポン情報とを受信する広告情報受信手順と、
前記コンピュータが、移動体の路線を特定する情報又は移動体の乗車率のいずれか一方を少なくとも含む前記移動体の属性を示す情報と、前記移動体の利用者の属性を示す情報とを属性情報としてそれぞれ受信する属性情報受信手順と、
前記コンピュータが、前記属性情報受信手順において受信される前記属性情報に基づいて、前記広告情報受信手順において受信される前記広告コンテンツの中から、前記属性情報に応じた前記広告コンテンツを選択する選択手順と、
前記コンピュータが、前記選択手順において選択された前記広告コンテンツを示す表示情報を生成する生成手順と、
前記コンピュータが、前記生成手順において生成された前記表示情報を、前記移動体の内部に備えられる表示装置に配信する表示情報配信手順と、
前記コンピュータが、前記表示情報配信手順において配信された前記表示情報が示す前記広告コンテンツに関連する前記クーポン情報を、第２端末からの指示に基づいて前記第２端末に配信するクーポン情報配信手順と
を備えることを特徴とする情報配信方法。
【請求項６】
サーバ装置が備えるコンピュータに、
複数の第１端末から、広告コンテンツと、前記広告コンテンツに関連するクーポンを示すクーポン情報とを受信する広告情報受信ステップと、
移動体の路線を特定する情報又は移動体の乗車率のいずれか一方を少なくとも含む前記移動体の属性を示す情報と、前記移動体の利用者の属性を示す情報とを属性情報としてそれぞれ受信する属性情報受信ステップと、
前記属性情報受信ステップにおいて受信される前記属性情報に基づいて、前記広告情報受信ステップにおいて受信される前記広告コンテンツの中から、前記属性情報に応じた前記広告コンテンツを選択する選択ステップと、
前記選択ステップにおいて選択された前記広告コンテンツを示す表示情報を生成する生成ステップと、
前記生成ステップにおいて生成された前記表示情報を、前記移動体の内部に備えられる表示装置に配信する表示情報配信ステップと、
前記表示情報配信ステップにおいて配信された前記表示情報が示す前記広告コンテンツに関連する前記クーポン情報を、第２端末からの指示に基づいて前記第２端末に配信するクーポン情報配信ステップと
を実行させるための情報配信プログラム。
【発明の詳細な説明】
【技術分野】
【０００１】
本発明の実施形態は、サーバ装置、情報配信方法、および情報配信プログラムに関する。
【背景技術】
【０００２】
従来、携帯電話などのモバイル端末に広告コンテンツを表示する広告システムがある（特許文献１を参照。）。しかしながら、このような広告システムは、広告コンテンツがモバイル端末の画面に単に表示されるものであるため、利用者がこの広告コンテンツを見た場合に、広告された商品等の購買意欲が起きにくい場合がある。このような場合、広告コンテンツを表示しても、広告効果を向上させることができないという問題がある。
【先行技術文献】
【特許文献】
【０００３】
【特許文献１】特開２０１３−１８６７９１号公報
【発明の概要】
【発明が解決しようとする課題】
【０００４】
本発明が解決しようとする課題は、広告効果を向上させることができるサーバ装置、情報配信方法、および情報配信プログラムを提供することである。
【課題を解決するための手段】
【０００５】
本発明の一実施形態は、複数の第１端末から広告コンテンツと、前記広告コンテンツに関連するクーポンを示すクーポン情報とを受信する受信部と、前記受信部が受信した前記広告コンテンツを示す表示情報を生成する生成部と、前記生成部が生成した前記表示情報を、移動体が備える表示装置に配信する表示情報配信部と、前記表示情報配信部が配信する前記表示情報が示す前記広告コンテンツに関連する前記クーポン情報を、第２端末からの指示に基づいて前記第２端末に配信するクーポン情報配信部とを備えることを特徴とするサーバ装置である。
【０００６】
また、本発明の一実施形態のサーバ装置は、前記受信部は、複数の第１端末から、前記表示情報の配信の時期を示す配信時期情報をさらに受信し、前記表示情報配信部は、前記表示情報を、当該表示情報の前記配信時期情報が示す時期に配信することを特徴とする。
【０００７】
また、本発明の一実施形態のサーバ装置は、前記第２端末のユーザの属性、または前記移動体の属性を示す属性情報を受信する属性情報受信部と、前記受信部が受信した複数の前記広告コンテンツから、前記属性情報受信部が受信した前記属性情報に対応する前記広告コンテンツを選択する選択部とをさらに備え、前記生成部は、前記選択部が選択した前記広告コンテンツを含む前記表示情報を生成することを特徴とする。
【０００８】
また、本発明の一実施形態のサーバ装置は、前記第２端末から前記クーポン情報が示す前記クーポンの利用状況を示す情報を受信する利用状況受信部と、前記利用状況受信部が受信した前記クーポンの利用状況を示す情報に基づいて、複数の前記第２端末による前記クーポンの利用状況を示す統計情報を生成する統計情報生成部と、前記統計情報生成部が生成した前記統計情報を、前記第１端末に送信する送信部と、をさらに備えることを特徴とする。
【０００９】
また、本発明の一実施形態は、複数の第１端末から広告コンテンツと、前記広告コンテンツに関連するクーポンを示すクーポン情報とを受信する受信手順と、前記受信手順において受信された前記広告コンテンツを示す表示情報を生成する生成手順と、前記生成手順において生成された前記表示情報を、移動体が備える表示装置に配信する表示情報配信手順と、前記表示情報配信手順において配信された前記表示情報が示す前記広告コンテンツに関連する前記クーポン情報を、第２端末からの指示に基づいて前記第２端末に配信するクーポン情報配信手順とを備えることを特徴とする情報提供方法である。
【００１０】
また、本発明の一実施形態は、サーバ装置が備えるコンピュータに、複数の第１端末から広告コンテンツと、前記広告コンテンツに関連するクーポンを示すクーポン情報とを受信する受信ステップと、前記受信ステップにおいて受信された前記広告コンテンツを示す表示情報を生成する生成ステップと、前記生成ステップにおいて生成された前記表示情報を、移動体が備える表示装置に配信する表示情報配信ステップと、前記表示情報配信ステップにおいて配信された前記表示情報が示す前記広告コンテンツに関連する前記クーポン情報を、第２端末からの指示に基づいて前記第２端末に配信するクーポン情報配信ステップとを実行させるための制御プログラムである。
【発明の効果】
【００１１】
本発明によれば、広告効果を向上させることができるサーバ装置、情報配信方法、および情報配信プログラムを提供できる。
【図面の簡単な説明】
【００１２】
【図１】実施形態１の移動体広告システムの概要の一例を示す模式図である。
【図２】実施形態１の移動体広告システムの概略構成の一例を示す模式図である。
【図３】実施形態１の表示装置が表示する広告コンテンツの一例を示す模式図である。
【図４】実施形態１のユーザ端末装置が表示するクーポン画像の一例を示す模式図である。
【図５】実施形態１のサーバ装置の構成の一例を示すブロック図である。
【図６】実施形態１の移動体広告システムの動作の一例を示す流れ図である。
【図７】実施形態２のサーバ装置の構成の一例を示すブロック図である。
【発明を実施するための形態】
【００１３】
＜実施形態１＞
以下、図を参照して実施形態１による移動体広告システム１の概要を説明する。
図１は、実施形態１の移動体広告システム１の概要の一例を示す模式図である。この移動体広告システム１は、データセンタ１０から配信される広告コンテンツを移動体２０が備える表示装置２１に表示することにより、移動体２０を利用する利用者に広告コンテンツを提供する。この広告コンテンツは、例えば、データセンタ１０から、アンテナＡＮＴ１およびアンテナＡＮＴ２を介して移動体２０に無線配信される。ここで、移動体２０とは、バス、タクシー、電車、船、飛行機等の交通機関である。この移動体２０は、液晶ディスプレイなどにより広告コンテンツを表示する表示装置２１を備えている。以下、この移動体２０が乗合バスである場合を一例にして説明する。移動体２０である乗合バスは、天井や座席に、複数の表示装置２１（この一例においては、表示装置２１−１〜−５）を備えている。
【００１４】
なお、以下の説明において、表示装置２１は、移動体２０である乗合バスの天井や座席など乗客から見える位置に備えられているものとして説明するが、これに限られない。この表示装置２１は、移動体２０の側面や後面など、移動体２０の外部から見える位置に備えられていてもよい。
また、以下の説明において、広告コンテンツは、移動体２０が備えるアンテナＡＮＴ２を介して無線配信された後に、表示装置２１に供給されるものとして説明するが、これに限られない。例えば、表示装置２１が無線受信手段を備えており、データセンタ１０から配信される広告コンテンツを、この無線受信手段が直接受信する構成であってもよい。
【００１５】
図２は、実施形態１の移動体広告システム１の概略構成の一例を示す模式図である。店舗４０は、管理装置４１（第１端末）を備えている。この店舗４０とは、例えば、乗合バスの運行経路付近にある店舗４０であって、広告コンテンツの対象製品の販売、または、対象サービスの提供を行う。例えば、店舗４０とは、スーパーマーケットのような小売店舗である。この店舗４０は、複数存在する。各店舗４０の従業員は、管理装置４１を利用して、広告コンテンツと、クーポン情報とを作成する。このクーポン情報とは、例えば、広告コンテンツの対象製品の特典の内容を示す情報である。この特典には、対象製品の価格の割引き、試供品の提供、ポイントカードにおける購入ポイントの割増しなどがある。各店舗４０の管理装置４１は、作成された広告コンテンツと、クーポン情報とをデータセンタ１０のサーバ装置１１に送信する。サーバ装置１１は、各店舗４０の管理装置４１から送信された広告コンテンツと、クーポン情報とを関連付けて記憶する。また、サーバ装置１１は、記憶している広告コンテンツを移動体２０に配信可能な形式にして、移動体２０の表示装置２１に配信する。このサーバ装置１１の構成の詳細については、後述する。
【００１６】
また、サーバ装置１１は、記憶しているクーポン情報をユーザ端末装置３１（第２端末）の要求に応じて、ユーザ端末装置３１に配信する。このユーザ端末装置３１とは、データセンタ１０と通信が可能な携帯電話やタブレットなどの携帯型の通信端末である。ユーザ端末装置３１の利用者３０（ユーザ）は、ユーザ端末装置３１を携帯して、移動体２０に乗車している。表示装置２１は、サーバ装置１１から配信された広告コンテンツを、利用者３０に向けて表示する。この表示装置２１が表示する広告コンテンツの一例について、図３を参照して説明する。
【００１７】
図３は、実施形態１の表示装置２１が表示する広告コンテンツの一例を示す模式図である。表示装置２１は、液晶ディスプレイなどの表示面２２を備えている。この表示面２２は、バスロケーション表示領域２３と、広告表示領域２４とを有している。バスロケーション表示領域２３には、移動体２０である乗合バスの現在の走行位置を示す画像が表示される。例えば、この乗合バスが、４つの停留所”東山””西川””南丘””北駅”を順に経由して走行する場合であって、現在の走行位置が停留所”西川”の付近である場合に、”西川”の文字が反転表示され、”西川”の文字の上部に乗合バスの画像が表示される。このように表示装置２１は、このバスロケーション表示領域２３に乗合バスの走行位置などの有益な情報を表示する。これにより、乗合バスの利用者の視線を表示装置２１に集めて、広告効果を向上させることができる。
【００１８】
広告表示領域２４には、サーバ装置１１から配信された広告コンテンツの画像が表示される。ここでは、サーバ装置１１から配信された広告コンテンツが、例えば、店舗４０としてのスーパーマーケットにおいて作成された、３行の文字広告である場合について説明する。この広告コンテンツは、上述したスーパーマーケットの管理装置４１によって、１行目に”○○スーパー  北駅前店”の文字が、２行目に”果物  特売中！”の文字が、３行目に”スーパー  北駅前店  で検索”の文字がそれぞれ表示されるようにして、作成されている。サーバ装置１１から、この広告コンテンツが配信されると、表示装置２１は、広告表示領域２４に広告コンテンツの画像を表示する。この広告コンテンツの画像には、インターネットの検索キーワードの画像と、この検索キーワードによる検索を促す画像とが含まれている。この一例においては、広告表示領域２４には、”スーパー  北駅前店  で検索”の文字が検索キーワード、およびこの検索キーワードによる検索を促す画像として表示される。
【００１９】
この検索キーワードによって検索されるインターネットのページには、サーバ装置１１に記憶されているクーポン情報が表示されるように設定されている。ユーザ端末装置３１の利用者３０（ユーザ）は、”スーパー  北駅前店  で検索”の文字を、ユーザ端末装置３１のインターネット検索アプリケーションに入力して検索を行う。これにより、ユーザ端末装置３１の表示部３２には、クーポン情報が検索の結果として表示される。この検索によってユーザ端末装置３１の表示部３２に表示されるクーポン情報の画面の一例について、図４を参照して説明する。
【００２０】
図４は、実施形態１のユーザ端末装置３１が表示するクーポン画像の一例を示す模式図である。ユーザ端末装置３１の表示部３２は、タッチパネル式の液晶ディスプレイを備えており、図４（ａ）に示すように、クーポンの内容を示すクーポン画像３３と、このクーポンを取得する操作を受け付けるボタン画像３４とを表示する。この一例においては、表示部３２は、”みかん  先着１００名様  ５０％ＯＦＦ”の画像を、第１のクーポン画像３３−１として表示する。また、表示部３２は、”りんご  先着１００名様  ５０％ＯＦＦ”の画像を、第２のクーポン画像３３−２として表示する。また、表示部３２は、”バナナ  １５時―１８時  ５０％ＯＦＦ”の画像を、第３のクーポン画像３３−３として表示する。ここで、第１のクーポン画像３３−１、および第２のクーポン画像３３−２とは、先着人数が限定された割引クーポンの一例である。また、第３のクーポン画像３３−３とは、タイムセールによる割引クーポンの一例である。
【００２１】
また、ユーザ端末装置３１の表示部３２は、第１のクーポン画像３３−１に対応する位置に第１のボタン画像３４−１を表示する。また、ユーザ端末装置３１の表示部３２は、第２のクーポン画像３３−２に対応する位置に第２のボタン画像３４−２を、第３のクーポン画像３３−３に対応する位置に第３のボタン画像３４−３を、それぞれ表示する。ユーザ端末装置３１のユーザが、第１のボタン画像３４−１を操作（例えば、タップ）すると、クーポンが取得され、図４（ｂ）に示すように、取得したクーポン画像３５と、クーポン利用ボタン画像３６とが表示される。
【００２２】
ここで、ユーザ端末装置３１の利用者３０が、店舗４０において買い物をしている場合について説明する。利用者３０は、買い物かごに「みかん」を入れて、店舗４０の会計待ちの列に並ぶ。利用者３０は、クーポン画像３５を会計担当の従業員に見せながら、クーポン利用ボタン画像３６を操作（例えば、タップ）する。以下の説明において、利用者３０が、このクーポン画像３５をレジの従業員に見せながら、クーポン利用ボタン画像３６に対して操作（例えば、タップ）することを、「クーポンを利用する」とも記載する。この一例において、クーポン画像３５とは、”みかん  先着１００名様  ５０％ＯＦＦ”の画像である。会計担当の従業員は、利用者３０がクーポンを利用する操作をおこなったことを確認して、買い物かごの中の「みかん」を５０％割引にして会計を行う。利用者３０がクーポンを利用する操作をおこなうと、ユーザ端末装置３１は、サーバ装置１１から取得したクーポン情報を破棄する。これにより、ユーザ端末装置３１は、利用者３０が利用済みのクーポンを再利用することを防ぐことができる。次に、このサーバ装置１１の構成について、図５を参照して説明する。
【００２３】
＜サーバ装置の構成＞
図５は、実施形態１のサーバ装置１１の構成の一例を示すブロック図である。サーバ装置１１は、受信部１１０と、クーポン情報配信部１１１と、生成部１１２と、表示情報配信部１１３と、利用状況受信部１１４と、統計情報生成部１１５と、送信部１１６とを備えている。
【００２４】
受信部１１０は、複数の管理装置４１（第１端末）から広告コンテンツと、この広告コンテンツに関連するクーポンを示すクーポン情報とを受信する。受信部１１０は、受信した広告コンテンツを生成部１１２に出力する。また、受信部１１０は、受信したクーポン情報をクーポン情報配信部１１１に出力する。
【００２５】
生成部１１２は、受信部１１０が受信した広告コンテンツを示す表示情報を生成する。ここで、表示情報とは、広告コンテンツを移動体２０の表示装置２１に表示可能な形式に変換した情報である。例えば、移動体２０の表示装置２１は、１つの広告コンテンツを１つのフレームに割り当て、複数のフレームを順次切り替えて表示することにより、複数の広告コンテンツを時分割で表示する。一例として、表示装置２１は、移動体２０である乗合バスが停留所間を走行中に、２５フレームぶんの広告コンテンツを順次切り替えて表示する。このように表示装置２１が複数のフレームによって表示する場合には、生成部１１２は、受信部１１０が受信した複数の広告コンテンツを、予め定められている表示の順序に従って、それぞれフレームに割り当てることにより、表示情報を生成する。
【００２６】
表示情報配信部１１３は、生成部１１２が生成した表示情報を、移動体２０が備える表示装置２１に配信する。移動体２０の表示装置２１は、配信された表示情報に基づいて、広告コンテンツを表示する（図３を参照。）。
【００２７】
クーポン情報配信部１１１は、表示情報配信部１１３が配信した表示情報が示す広告コンテンツに関連するクーポン情報を、ユーザ端末装置３１（第２端末）からの指示に基づいてユーザ端末装置３１に配信する。ここで、ユーザ端末装置３１からの指示とは、図４（ａ）に示したボタン画像３４を利用者３０が操作（例えば、タップ）したことである。つまり、ユーザ端末装置３１からの指示とは、クーポン取得の操作を示す情報をサーバ装置１１が受信することである。ユーザ端末装置３１は、利用者３０がボタン画像３４を操作したことを検出すると、クーポン取得の操作を示す情報をユーザ端末装置３１からの指示としてサーバ装置１１に送信する。クーポン取得の操作を示す情報には、クーポンを識別するクーポン識別情報が含まれている。サーバ装置１１のクーポン情報配信部１１１は、クーポン取得の操作を示す情報をユーザ端末装置３１から受信すると、この情報に含まれるクーポン識別情報が示すクーポン情報をユーザ端末装置３１に配信する。ユーザ端末装置３１は、配信されたクーポン情報に基づいて、図４（ｂ）に示したように、クーポンの画面を表示する。
【００２８】
＜クーポン利用統計＞
また、サーバ装置１１は、各ユーザ端末装置３１におけるクーポンの利用状況を示すクーポン利用統計情報を生成することもできる。このクーポンの利用状況には、利用されたクーポンの種類、クーポンの利用回数、利用時間帯、利用店舗、広告コンテンツを配信してからクーポンが利用されるまでの時間、クーポン利用者の年齢、性別などが含まれる。
【００２９】
ユーザ端末装置３１は、上述したクーポンを利用する操作を行った場合に、そのクーポンのクーポン識別情報、クーポンを利用する操作を行った時刻や場所を示す情報などを、クーポンの利用状況を示す情報としてサーバ装置１１に送信する。サーバ装置１１の利用状況受信部１１４は、ユーザ端末装置３１（第２端末）からクーポン情報が示すクーポンの利用状況を示す情報を受信する。
【００３０】
統計情報生成部１１５は、利用状況受信部１１４が受信したクーポンの利用状況を示す情報に基づいて、複数のユーザ端末装置３１（第２端末）によるクーポンの利用状況を示すクーポン利用統計情報を生成する。ここで、統計情報生成部１１５は、店舗４０ごとにクーポン利用統計情報を生成する。
【００３１】
送信部１１６は、統計情報生成部１１５が生成したクーポン利用統計情報を、管理装置４１（第１端末）に送信する。これにより、店舗４０において、クーポンの利用統計を取得することができるため、広告コンテンツの広告効果を推測することができる。このため、店舗４０において、さらに広告効果の高い広告コンテンツを作成することができる。つまり、サーバ装置１１は、広告効果を向上させることができる。
【００３２】
＜特定のクーポンの配信要求＞
なお上述においては、ユーザ端末装置３１によってクーポンを検索した場合に、図４（ａ）に示すように、不特定のクーポンの一覧を表示する例について説明したが、これに限られない。例えば、ユーザ端末装置３１から、サーバ装置１１に対して特定のクーポンの配信の要求が可能な構成であってもよい。具体的な一例として、表示装置２１が表示する広告コンテンツにクーポン番号の画像が含まれており、利用者３０がこのクーポン番号をユーザ端末装置３１に入力することにより、特定のクーポンの配信を要求する。サーバ装置１１は、入力されたクーポン番号に対応するクーポン情報をユーザ端末装置３１に配信する。これにより、サーバ装置１１は、ユーザ端末装置３１に不特定のクーポンの一覧を表示する場合に比べて、特定のクーポンを利用者３０が入手しやすくすることができる。
【００３３】
また、ユーザ端末装置３１から、サーバ装置１１に対して特定のクーポンの配信の要求をする場合に、この特定のクーポンが配信可能か否かをサーバ装置１１が判定する構成であってもよい。具体的な一例として、この特定のクーポンの配信期間が予め定められている場合に、サーバ装置１１に対して特定のクーポンの配信の要求があると、サーバ装置１１は、この特定のクーポンが配信可能か否かを判定する。サーバ装置１１は、配信期間が途過しているクーポンについて配信の要求があった場合、配信不可と判定して、この特定のクーポンを配信しない。これにより、サーバ装置１１は、利用者３０に対して、配信期間内にクーポンの配信を要求しようとする動機付けを行うことができるため、さらに広告効果を向上させることができる。
【００３４】
また、受信部１１０は、管理装置４１（第１端末）から、表示情報の配信の時期を示す配信時期情報をさらに受信してもよい。この構成の場合には、表示情報配信部１１３は、表示情報を、当該表示情報の配信時期情報が示す時期に配信する。これにより、移動体２０の表示装置２１が表示する広告コンテンツを、配信時期にあわせた適切な時期に配信することができる。
【００３５】
＜移動体広告システム１の動作＞
次に、図６を参照して、移動体広告システム１の動作の一例について説明する。
図６は、実施形態１の移動体広告システム１の動作の一例を示す流れ図である。
【００３６】
店舗４０の管理装置４１（第１端末）は、広告コンテンツとクーポン情報とを作成し（ステップＳ４１−１０）、作成した広告コンテンツとクーポン情報とをサーバ装置１１に送信する（ステップＳ４１−２０）。
【００３７】
サーバ装置１１は、ステップＳ４１−２０において管理装置４１から送信された広告コンテンツとクーポン情報とを受信する（ステップＳ１１−１０）。サーバ装置１１は、受信した広告コンテンツをフレームに割り当てて表示情報を生成し（ステップＳ１１−２０）、生成した表示情報を移動体２０の表示装置２１に配信する（ステップＳ１１−３０）。
【００３８】
移動体２０の表示装置２１は、ステップＳ１１−３０において配信された表示情報を受信し（ステップＳ２１−１０）、受信した表示情報を液晶ディスプレイに表示して（ステップＳ２１−２０）、処理を終了する。
【００３９】
サーバ装置１１は、ステップＳ１１−１０において受信したクーポン情報を、ユーザ端末装置３１からの指示に基づいて、ユーザ端末装置３１に配信する（ステップＳ１１−４０）。
なお、ここでは、ユーザ端末装置３１がクーポンを特定せずにクーポンの配信を要求する指示をサーバ装置１１に対して送信する例について説明したが、これに限られない。ユーザ端末装置３１は、特定のクーポンの配信を要求する指示をサーバ装置１１に対して送信してもよい。この場合には、サーバ装置１１は、ユーザ端末装置３１からの特定のクーポンの配信を要求する指示を受信すると、ステップＳ１１−１０において受信したクーポン情報のなかに、この特定のクーポンが含まれているか否かを判定する。また、サーバ装置１１は、特定のクーポンが含まれていると判定した場合に、この特定のクーポンが配信可能か否かを判定する。例えば、この特定のクーポンが、配信期間が限定されているクーポンである場合に、サーバ装置１１は、配信期間の条件を満たすか否かを判定することにより、この特定のクーポンが配信可能か否かを判定する。サーバ装置１１は、この特定のクーポンが配信可能と判定した場合に、ステップＳ１１−１０において受信したクーポン情報のうち、特定のクーポンのクーポン情報を、ユーザ端末装置３１に配信する。
【００４０】
ユーザ端末装置３１（第２端末）は、ステップＳ１１−４０においてサーバ装置１１から送信されたクーポン情報を受信する（ステップＳ３１−１０）。なお、ユーザ端末装置３１からの要求に応じて、サーバ装置１１がクーポン情報を送信（配信）する構成であってもよい。利用者３０は、クーポンを利用する（ステップＳ３１−２０）。具体的には、ユーザ端末装置３１は、ステップＳ３１−１０において受信したクーポン情報が示すクーポンを画面に表示するとともに、利用者３０によるクーポン利用操作を受け付けて、利用済みのクーポンを破棄する。ユーザ端末装置３１は、クーポン利用状況情報をサーバ装置１１に送信して（ステップＳ３１−３０）、処理を終了する。
【００４１】
サーバ装置１１は、ステップＳ３１−３０において送信されたクーポン利用状況情報を受信する（ステップＳ１１−５０）。サーバ装置１１は、各ユーザ端末装置３１から送信されたクーポン利用状況情報に基づいて、クーポン利用統計情報を生成し、生成したクーポン利用統計情報を管理装置４１に送信して（ステップＳ１１−６０）、処理を終了する。
【００４２】
管理装置４１は、ステップＳ１１−６０において送信されたクーポン利用統計情報を受信して（ステップＳ４１−３０）、処理を終了する。
【００４３】
以上説明したように、サーバ装置１１は、移動体２０（例えば、乗合バス）に広告コンテンツを配信する。ユーザ端末装置３１の利用者３０は、移動体２０に表示された広告コンテンツを見ることによって商品の購買の動機づけがなされ、サーバ装置１１が配信するクーポンを取得する。また、利用者３０は、取得したクーポンを、バスの路線付近にある店舗４０において商品購入時に使用する。ここで、サーバ装置１１は、広告コンテンツと、この広告コンテンツに関連するクーポン情報との２つの情報を配信する。これにより、サーバ装置１１は、広告コンテンツに連動してクーポンを配信することができるため、広告効果を向上させることができる。
【００４４】
また、サーバ装置１１は、移動体２０およびユーザ端末装置３１に対して、広告コンテンツと、この広告コンテンツに関連するクーポン情報とを、無線等により随時配信することができる。つまり、サーバ装置１１は、広告コンテンツと、この広告コンテンツに関連するクーポン情報とをリアルタイムに更新することができる。これにより、例えば、実施期間が限定されているタイムセールの広告コンテンツやクーポンを、タイムセール開始直前に配信したり、内容が日替わりで変化する広告コンテンツやクーポンを毎朝配信したりすることができる。このように、サーバ装置１１は、更新された情報をリアルタイムに配信することができるため、リアルタイムに配信できない場合に比べて、広告の鮮度を向上させることができる。これにより、サーバ装置１１は、広告効果を向上させることができる。
【００４５】
なお、上述において、汎用のインターネット検索アプリケーションによって、図４（ａ）に示すクーポン取得画面を表示する例について説明したが、これに限られない。クーポン取得のための専用アプリケーションによって、クーポン取得画面を表示してもよい。
【００４６】
＜実施形態２＞
以下、実施形態２の移動体広告システムが備えるサーバ装置１１ａについて、図７を参照して説明する。
図７は、実施形態２のサーバ装置１１ａの構成の一例を示すブロック図である。以下の説明において、上述した各実施形態と同様の構成については、同一の符号を付してその説明を省略する。このサーバ装置１１ａは、属性情報受信部１１７と、選択部１１８とをさらに備える点において、上述したサーバ装置１１と相違する。
【００４７】
属性情報受信部１１７は、ユーザ端末装置３１（第２端末）の利用者３０（ユーザ）の属性、または移動体２０の属性を示す属性情報を受信する。この利用者３０の属性には、年齢、性別、居住地域、商品の購入履歴などが含まれる。また、移動体２０の属性には、路線番号、現在位置、乗車率などが含まれる。
【００４８】
選択部１１８は、受信部１１０が受信した複数の広告コンテンツから、属性情報受信部１１７が受信した属性情報に対応する広告コンテンツを選択する。具体的な一例として、選択部１１８は、属性情報受信部１１７が受信した利用者３０の属性の中から、移動体２０である乗合バスに乗車している利用者３０の属性として、各利用者３０の年齢を取得する。また、選択部１１８は、取得した各利用者３０の年齢の分布に基づいて、利用者３０の年齢層に応じた広告コンテンツを選択する。生成部１１２は、選択部１１８が選択した広告コンテンツを示す表示情報を生成する。表示情報配信部１１３は、選択部１１８が選択した広告コンテンツを示す表示情報を移動体２０に配信する。
【００４９】
これにより、サーバ装置１１ａは、移動体２０の表示装置２１が表示する広告コンテンツの内容を、移動体２０の乗客である利用者３０の属性に応じて選択することができる。これにより、サーバ装置１１ａは、広告効果を向上させることができる。
【００５０】
以上説明した少なくともひとつの実施形態の移動体広告システムによれば、広告コンテンツに連動してクーポンを配信することができるため、広告効果を向上させることができる。
【００５１】
本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同時に、特許請求の範囲に記載された発明とその均等の範囲に含まれるものである。
【００５２】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５３】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５４】
１…移動体広告システム、１０…データセンタ、１１、１１ａ…サーバ装置、２０…移動体、２１…表示装置、３１…ユーザ端末装置（第２端末）、４０…店舗、４１…管理装置（第１端末）、１１０…受信部、１１１…クーポン情報配信部、１１２…生成部、１１３…表示情報配信部、１１４…利用状況受信部、１１５…統計情報生成部、１１６…送信部、１１７…属性情報受信部、１１８…選択部
【図１】
0005970443.tif 000002
【図２】
0005970443.tif 000003
【図３】
0005970443.tif 000004
【図４】
0005970443.tif 000005
【図５】
0005970443.tif 000006
【図６】
0005970443.tif 000007
【図７】
0005970443.tif 000008